(57)【要約】【課題】簡易な構成で燃料注入時を含めて取扱が容易な燃料タンクによりワンタッチ操作で簡易に燃料補給が可能となる圃場作業機の燃料供給装置を提供する。【解決手段】圃場作業機の燃料供給装置は、燃料タンク９ｂに燃料配管２６を連通して構成され、上記燃料タンク９ｂの下部に燃料を流出させるための流出口１５を配置し、該流出口１５に開閉可能なキャップ１４を設け、このキャップ１４に流出口１５を外部に連通させる流通路２１を貫通形成するとともにこの流通路２１を開閉する開閉弁２３を設け、機体側には上記キャップ１４を嵌合収容しうる凹状の受部２５を設け、この受部２５に燃料配管２６を接続し、機体側に燃料タンク９ｂを搭載し、受部２５に上記キャップ１４を収容した状態で開閉弁２３を開放して流通路２１を燃料配管２６に連通する作用部２７を設けたものである。【選択図】図４
2009280091.tif 000002
【特許請求の範囲】
【請求項１】
燃料を貯留する燃料タンク（９ｂ）に機体側の燃料配管（２６）を連通してなる圃場作業機の燃料供給装置において、
上記燃料タンク（９ｂ）の下部に燃料を流出させるための流出口（１５）を配置し、該流出口（１５）に開閉可能なキャップ（１４）を設け、このキャップ（１４）に流出口（１５）を外部に連通させる流通路（２１）を貫通形成するとともにこの流通路（２１）を開閉する開閉弁（２３）を設け、機体側には上記キャップ（１４）を嵌合収容しうる凹状の受部（２５）を設け、この受部（２５）に燃料配管（２６）を接続し、機体側に燃料タンク（９ｂ）を搭載し、受部（２５）に上記キャップ（１４）を収容した状態で開閉弁（２３）を開放して流通路（２１）を燃料配管（２６）に連通する作用部（２７）を設けたことを特徴とする圃場作業機の燃料供給装置。
【請求項２】
前記燃料タンク（９ｂ）には、キャップ（１４）が地面等の支持面に接触しない高さに保持可能な支持脚（１６）を設け、これら支持脚（１６）を受けて所定位置に案内保持する案内受部（３１）を機体側に形成したことを特徴とする請求項１記載の圃場作業機の燃料供給装置。
【発明の詳細な説明】
【技術分野】
【０００１】
本発明は、機体に搭載された燃料タンクによって原動機に燃料を供給する圃場作業機の燃料供給装置に関するものである。
【背景技術】
【０００２】
コンバイン等の圃場作業機の燃料供給装置として、特許文献１に示すように、開閉弁付きの燃料吐出口によって燃料タンクを着脱可能に構成したものが知られている。この燃料供給装置は、燃料タンクの下端部に上記開閉弁付きの燃料吐出口を設け、この燃料吐出口を受ける受部を機体側に形成し、この受部に開閉弁機構を開放する突出部材を設けて構成することにより、燃料タンクの着脱に応じて受部の突出部材が開閉弁機構を開閉することから、燃料タンクを簡易に着脱交換することができるので、燃料補給スタンドまでの機体移動や、タンク交換の際の接続ホースおよびバルブ操作等の煩雑な付帯操作なしに燃料補給が可能となる。
【特許文献１】実開平４−１０９６２５号公報
【発明の開示】
【発明が解決しようとする課題】
【０００３】
しかしながら、上記燃料吐出口は、燃料タンクの底部に新たに設ける必要があることから製造コストの増加を招き、また、燃料排出口からの燃料の注入充填およびその運搬を含め、取外した燃料タンクを平置きする場合は、燃料吐出口が燃料タンクの下端に突出するために姿勢が不安定となり、その保護の観点からも、煩わしい取扱いを強いられるという問題が避けられなかった。
【０００４】
解決しようとする問題点は、簡易な構成で燃料注入時を含めて取扱が容易な燃料タンクによりワンタッチ操作で簡易に燃料補給が可能となる圃場作業機の燃料供給装置を提供することにある。
【課題を解決するための手段】
【０００５】
請求項１に係る発明は、燃料を貯留する燃料タンクに機体側の燃料配管を連通してなる圃場作業機の燃料供給装置において、上記燃料タンクの下部に燃料を流出させるための流出口を配置し、該流出口に開閉可能なキャップを設け、このキャップに流出口を外部に連通させる流通路を貫通形成するとともにこの流通路を開閉する開閉弁を設け、機体側には上記キャップを嵌合収容しうる凹状の受部を設け、この受部に燃料配管を接続し、機体側に燃料タンクを搭載し、受部に上記キャップを収容した状態で開閉弁を開放して流通路を燃料配管に連通する作用部を設けたことを特徴とする。
【０００６】
上記燃料供給装置は、燃料タンクの下部にキャップ付きの流出口を配置し、そのキャップを嵌合可能な受部を燃料配管と接続して機体側に設けたことから、キャップ部を受部に嵌合させることによって流出口がキャップに形成した流出口を介して燃料配管と連通され、また、キャップに開閉弁で開放可能な流通路を貫通形成し、キャップが受部に嵌合された状態で開閉弁を開放する作用部を受部に設けたことから、燃料タンクの着脱に連動して流通路が開閉され、また、燃料タンクの下部の流出口は、上下逆転姿勢において満量充填に必要な上部の燃料供給口として機能する。
【０００７】
請求項２に係る発明は、請求項１の構成において、前記燃料タンクにはキャップが地面等の支持面に接触しない高さに保持可能な支持脚を設け、これら支持脚を受けて所定位置に案内保持する案内受部を機体側に形成したことを特徴とする。
上記燃料タンクを取外した場合は、支持脚によってキャップが地面等の支持面に接触しない高さに平置き状態で保持することができ、一方、燃料タンクを装着する際は、支持脚を対応する案内受部の案内範囲内に合わせることにより、両者間の案内作用によって燃料タンクが所定位置に位置決めされる。
【発明の効果】
【０００８】
請求項１の発明の燃料供給装置は、燃料タンクを装着する際に、その下部のキャップを所定位置に合わせることによりそのキャップが燃料配管と接続する受部に嵌合され、このとき、キャップを貫通する流通路の開閉弁が作用部によって開放動作することから、燃料タンクの燃料が燃料配管に供給される。また、燃料タンクを取外した時は、開閉弁によってキャップの流通路が閉じられることから、燃料漏れなしに燃料タンクを簡便に取扱うことができるとともに、燃料タンクに燃料を充填注入する際は、その上下を逆転することにより、キャップを外して流出口から燃料の満量充填が可能となる。
【０００９】
したがって、上記燃料供給装置は、燃料補給スタンドまでの機体移動や、タンク着脱の際の接続ホースおよびバルブ操作等の煩雑な付帯操作なしのワンタッチ着脱操作による簡易な燃料補給を可能とするのみならず、燃料タンクについて特段の注入口を要することなく構成の簡易化を図ることができるとともに、平置き可能な平頂容器等による簡易な形状の燃料タンクにより煩わしい取扱いを要することなく燃料充填および運搬操作の容易化を図ることができる。
【００１０】
請求項２の発明は、請求項１の効果に加え、燃料タンクがその支持脚により平置き状態で安定して保持されることから、燃料タンクを取外した際に、給油口やキャップの保護等の煩わしい配慮を要することなく、簡便な取扱いが可能となり、また、燃料タンクを機体に装着する際は、支持脚を対応する案内受部の案内範囲内に合わせることにより燃料タンクが所定位置に位置決めされるので、煩わしい位置合わせ操作を要することのない簡易な操作により、ワンタッチで燃料タンクを装着することができる。
【発明を実施するための最良の形態】
【００１１】
上記技術思想に基づいて具体的に構成された実施の形態について以下に図面を参照しつつ説明する。
本発明の適用対象である圃場作業機の一例としてのコンバインは、機体の側面図および平面図をそれぞれ図１、図２に示すように、左右のクローラ２，２によって走行可能に支持した機体に操縦部３および原動機３ａを備えるとともに、機体の前部で圃場から穀稈を刈取る刈取部４と、この刈取部４から受けた刈取り穀稈を脱穀する脱穀部５と、その排藁を切断して後部排出するカッター部６と、脱穀部５の側方で脱穀穀粒を袋詰めする穀粒排出口７ａ…を備えたホッパー７と、その下方で袋詰めされた穀粒収納体を受けるキャリアデッキ８等を備えて構成される。
【００１２】
キャリアデッキ８の外側部には、ホッパー７による袋詰めの作業スペースとしてのサイドキャリア８ａおよびその上方で作業者を保護するバックガード８ｂを開閉可能に備え、また、キャリアデッキ８の後端部に原動機３ａに燃料を供給する燃料タンク９ｂによる燃料供給装置９を備える。
【００１３】
燃料供給装置９は、燃料タンクの装着状態の斜視図および逆置き姿勢の斜視図を図３に示すように、着脱可能なボックス状の燃料タンク９ｂに後述の燃料配管を連通して構成される。燃料タンク９ｂはひもだし加工によって補強した缶体等の水密容器であり、その上面部に可倒構造の吊手１１、側面部にその全高に及ぶ油面位置を表示するレベルゲージ１２、掛金で取外し可能な固定用のゴムベルト１３，１３、下面部にキャップ１４を備えた流出口１５と支持脚１６…を備える。
【００１４】
燃料タンク９ｂについて詳細に説明すると、流出口１５は、キャップ開放状態の断面図および受部に接続した状態の断面図を図４に示すように、燃料を充填可能に燃料タンク９ｂの底面板９ｃから下方に突出し、ねじ等の締結手段によりキャップ１４で密閉可能に構成する。キャップ１４には流通路２１を貫通形成し、この流通路２１に設けた通孔付きの筒状ガイド材２２に弁体２３をスプリング２４で弾性支持した開閉弁を介設して流路閉鎖可能に構成する。
【００１５】
機体側にはキャップ１４を収容しうる凹状の受部２５を形成する。この受部２５はフィルター２５ａを介して原動機３ａの燃料配管２６と連通して構成し、上記キャップ１４を収容した状態においてその流通路２１と連通接続するための弾性シール２５ｂを内設するとともに、弁体２３に作用して開放動作させる位置に突状の作用部２７を設ける。この作用部２７によりて燃料タンク９ｂの着脱に応じて流通路２１が開閉される。
【００１６】
上記構成の燃料供給装置は、燃料タンク９ｂの最下端にキャップ１４付きの流出口１５を配置し、そのキャップ１４を嵌合収容する受部２５を燃料配管２６と連通して機体側に設けたことから、燃料タンク９ｂのキャップ１４の部分を受部２５に嵌合させることによって流出口１５がキャップ１４とともに燃料配管２６に接続され、また、流出口１５のキャップ１４に開閉弁２３で開放可能に流通路２１を貫通形成し、キャップ１４が受部２５に嵌合された状態で開閉弁２３を開放する作用部２７を受部２５に設けたことから、燃料タンク９ｂの着脱と対応してキャップ１４の流通路２１が開閉され、また、燃料タンク９ｂの最下端の流出口１５は、上下逆転姿勢において燃料の満量充填に必要な上端開口として機能する。
【００１７】
このように、上記燃料供給装置は、燃料タンク９ｂを装着する際に、その最下端のキャップ１４を所定位置に合わせることによりそのキャップ１４が燃料配管２６と連通する受部２５に嵌合収容され、このとき、キャップ１４を貫通する流通路２１の開閉弁２３が作用部２７によって開放動作することから、燃料タンク９ｂの燃料が機体側の燃料配管２６に供給される。また、燃料タンク９ｂを取外した時は、開閉弁２３によってキャップ１４の流通路２１が閉じられることから、燃料漏れなしに簡便に燃料タンク９ｂを取扱うことができるとともに、燃料タンク９ｂに燃料を充填注入する際は、その上下を逆転することにより、キャップ１４を外して流出口１５から燃料の満量充填が可能となる。
【００１８】
したがって、上記燃料供給装置は、燃料補給スタンドまでの機体移動や、タンク着脱の際の接続ホースおよびバルブ操作等の煩雑な付帯操作を要することなくワンタッチ着脱操作による簡易な燃料補給を可能とするのみならず、燃料タンクについて特段の注入口を要することがなく構成の簡易化を図ることができるとともに、平置き可能な平頂容器等による簡易な形状の燃料タンクにより煩わしい取扱いを要することなく燃料充填および運搬操作の容易化を図ることができる。
【００１９】
次に、支持脚１６…については、その態様を示す燃料タンクの正面図および側面図を図５に示すように、案内作用を受けうる下向きのくさび形、例えば正面方向と側面方向の如くの２方向からの視線についてアウトラインを逆三角形に形成する。また、支持脚１６…を受ける機体側には、図６の斜視図に示すように、支持脚１６…の一部が没入することにより所定位置まで支持脚１６…を誘導して保持する案内受部３１…を、例えば、支持脚１６…と対応するように正面方向と側面方向の如くの２方向からの視線についてアウトラインが逆三角形の凹部を形成する。
【００２０】
上記支持脚１６…と案内受部３１…は、支持状態の説明のための断面図を図７に示すように、両者間相互の案内動作により、支持脚１６…が案内受部３１…に没入した時に、２方向について所定位置まで互いにスライドして相互係合状態で位置決めする案内機構として動作することから、キャップ１４の位置合わせ操作を要することなく、その案内機構のカバー範囲である案内受部３１…の開口の範囲内に支持脚１６…を合わせる簡易な操作により、燃料タンク９ｂを位置決め装着することができる。
【００２１】
また、支持脚１６…および案内受部３１…の配置については、支持位置の配置平面図を図８に示すように、４点支持の例における一方の支持間隔Ｌ１と他方の支持間隔Ｌ２について、Ｌ１≠Ｌ２として左右非対象に配置することにより燃料タンク９ｂが左右に方向性を有する場合に対応でき、また、Ｌ１＝Ｌ２として左右対称に配置することにより、燃料タンク９ｂが左右の方向性を問わない場合に対応することができる。このような方向性対応の構成により、方向性を有する場合の燃料タンク９ｂの誤装着を防止することができる。
【００２２】
また、支持脚１６…については、キャップ１４の下端が支持面Ｓに接触しない高さに燃料タンク９ｂを保持可能な脚長に形成することにより、機体から外した燃料タンク９ｂをそのまま平置きしても、その底面板９ｃから下方に突出する流出口１５およびキャップ１４を保護しつつ安定姿勢で燃料タンク９ｂが保持されることから、煩わしい取扱いを要することなく運搬することができる。
【００２３】
次に、固定用のゴムベルト１３，１３については、ワンタッチで装着することができる燃料タンク９ｂを機体に対して簡便に固定することができる上に、支持脚１６…の位置に重なる位置に掛け渡すことにより、燃料タンク９ｂを押さえつける作用力を支持脚１６…に直接的に及ぼすことができるので、燃料タンク９ｂの確実な固定が可能となり、機体の揺れによっても装着時の燃料タンク９ｂの横ずれを防止することができる。
【００２４】
また、レベルゲージ１２は、燃料タンク９ｂの側面部にその上端から下端に及ぶ油面位置を表示するように構成することにより、燃料の残留状況の把握による圃場作業機の稼動調整のみならず、機体から外した燃料タンク９ｂを上下逆転姿勢で燃料を充填する際の充填状況を把握して過不足無く能率良く燃料の充填作業を進めることができる。
【００２５】
また、燃料タンク９ｂの吊手１１は、平頂容器の上面部に折り畳みできる可倒構造とすることにより、燃料タンク９ｂを上下逆転姿勢で燃料を充填する際に邪魔にならずにそのまま平置きすることができるので、先行する構成例（特開２００２−１７３１４７号公報）の如くの固定吊手による高さ寸法の無駄を招くことなく、安定して燃料を充填することができる。
【図面の簡単な説明】
【００２６】
【図１】コンバインの側面図
【図２】図１のコンバインの平面図
【図３】燃料タンクの装着状態の斜視図および逆置き姿勢の斜視図
【図４】流出口とキャップの断面図および受部に接続状態の断面図
【図５】支持脚の態様を示す燃料タンクの正面図および側面図
【図６】支持脚を受ける機体側の斜視図
【図７】支持状態の説明のための断面図
【図８】支持位置の配置平面図
【符号の説明】
【００２７】
９      燃料供給装置
９ｂ    燃料タンク
９ｃ    底面板
１４    キャップ
１５    流出口
１６    支持脚
２１    流通路
２２    筒状ガイド材
２３    弁体（開閉弁）
２４    スプリング
２５    受部
２６    燃料配管
２７    作用部
３１    案内受部
【図１】
2009280091.tif 000003
【図２】
2009280091.tif 000004
【図３】
2009280091.tif 000005
【図４】
2009280091.tif 000006
【図５】
2009280091.tif 000007
【図６】
2009280091.tif 000008
【図７】
2009280091.tif 000009
【図８】
2009280091.tif 000010